(57)【要約】      （修正有）【課題】泡消火設備が起動していない時には、泡原液槽から泡原液を送出しない泡消火設備を提供する。【解決手段】泡消火設備１は、火災時に泡水溶液を放出する泡ヘッド１０と、水を加圧して送出する消火ポンプ３と、泡ヘッド１０と消火ポンプ３を接続し、水が流通する配水管４と、配水管４に設けられ、水と泡原液とを所定の割合で混合し、泡水溶液を生成する混合器６と、泡原液を貯蔵し、水によって貯蔵した泡原液を混合器６へ送出する泡原液槽５と、泡原液槽５と混合器６との間に設けられ、常時閉の阻止弁１４と、を備え、消火ポンプ３より吐出量が少なく、起動設定圧力を高く設定して、配水管内の微少な圧力低下を修復する補助ポンプを有し、阻止弁１４は、補助ポンプの起動では開放せず、消火ポンプ３が起動する時に開放する。【選択図】図１
2016073693.tif 000002
【特許請求の範囲】
【請求項１】
火災時に泡水溶液を放出する泡放出口と、
水を加圧して送出する消火ポンプと、
前記泡放出口と前記消火ポンプを接続し、前記水が流通する配水管と、
前記配水管に設けられ、上記水と泡原液とを所定の割合で混合し、前記泡水溶液を生成する混合器と、
前記泡原液を貯蔵し、前記水によって貯蔵した前記泡原液を前記混合器へ送出する泡原液槽と、
前記泡原液槽と前記混合器との間に設けられ、常時閉の阻止弁と、を備え、
前記消火ポンプより吐出量が少なく、起動設定圧力を高く設定して、配水管内の微少な圧力低下を修復する補助ポンプを有し、
前記阻止弁は、前記補助ポンプの起動では開放せず、前記消火ポンプが起動する時に開放することを特徴とする泡消火設備。
【請求項２】
前記消火ポンプの起動および停止を制御するポンプ制御盤を備え、
前記ポンプ制御盤は、前記消火ポンプに起動信号を送信する時に前記阻止弁にも開放信号を送信し、前記消火ポンプに停止信号を送信する時に前記阻止弁にも閉止信号を送信することを特徴とする請求項１記載の泡消火設備。
【請求項３】
火災感知器を備え、
前記火災感知器と前記配水管内の圧力低下の両方の信号によって、前記消火ポンプを起動することを特徴とする請求項１又は２記載の泡消火設備。
【発明の詳細な説明】
【技術分野】
【０００１】
本発明は、火災を消火する泡消火設備に関するものである。
【背景技術】
【０００２】
従来、油火災を消火する設備として、泡消火設備が一般的に広く設けられている。泡消火設備では、火災が発生すると泡原液槽に貯蔵された泡原液と、水源からの水とを混合器で混合して泡消火用水をつくり、泡放出口から泡消火用水のまま放出するか、または泡状に発泡させて放出している。
【先行技術文献】
【特許文献】
【０００３】
【特許文献１】特開２０１２−９５８９７号公報
【０００４】
このような泡消火設備では、火災時に速やかに泡消火用水が放出されるように、混合器の二次側には泡水溶液が所定の圧力で充填され、混合器の一次側には、水源からの水が所定の圧力で充填されている。
【０００５】
しかしながら、泡消火設備の周囲温度が上下したり、泡原液槽と混合器や配管との位置関係が悪かったり、といった要因により泡原液槽内の圧力と配管内の圧力とのバランスが崩れていると、泡消火設備が起動していないにも拘わらず、泡原液タンク内の泡原液が混合器を経由して配管内に流出し、配管内の泡消火用水の混合比が規定値より濃くなってしまったり、泡原液槽内の泡原液が少なくなってしまうという問題があった。
【発明の概要】
【発明が解決しようとする課題】
【０００６】
本発明は、泡消火設備が起動していない時には、泡原液槽から泡原液を送出しない泡消火設備を提供することを目的とする。
【課題を解決するための手段】
【０００７】
本発明に係る泡消火設備は、火災時に泡水溶液を放出する泡放出口と、水を加圧して送出する消火ポンプと、泡放出口と消火ポンプを接続し、水が流通する配水管と、配水管に設けられ、上記水と泡原液とを所定の割合で混合し、泡水溶液を生成する混合器と、泡原液を貯蔵し、水によって貯蔵した泡原液を混合器へ送出する泡原液槽と、泡原液槽と混合器との間に設けられ、常時閉の阻止弁と、を備え、消火ポンプより吐出量が少なく、起動設定圧力を高く設定して、配水管内の微少な圧力低下を修復する補助ポンプを有し、阻止弁は、補助ポンプの起動では開放せず、消火ポンプが起動する時に開放することを特徴とするものである。
【発明の効果】
【０００８】
本発明によれば、泡原液槽と混合器との間に常時閉の阻止弁を設け、阻止弁は消火ポンプが起動したときに開となるので、非火災時に圧力変動が発生しても泡原液が流出しないので、配水管内の泡水溶液の濃度を常に適正値とすることができる。
【０００９】
また、本発明によれば混合器から泡原液槽への水および泡水溶液の流入防止のために設けていた逆止弁が不要となる。
【００１０】
また、本発明によれば、阻止弁はポンプ起動信号によって開放するので、新たに制御盤等を設ける必要がなく、阻止弁を追加することによる、コストアップを最低限に抑えることができる。
【図面の簡単な説明】
【００１１】
【図１】本発明の実施の形態に係る泡消火設備の一例である。
【発明を実施するための形態】
【００１２】
＜実施の形態＞
以下、本実施の形態では、駐車場等に設置される、泡消火設備に本発明を適用した場合を例に説明する。
図１は、本発明の泡消火設備の設備系統図である。
図１に示すとおり、本実施の形態１は、泡放出口に相当する泡ヘッド１０、感知用ヘッド９、一斉開放弁８、泡原液槽５、混合器６、貯水槽２、消火ポンプ３、配水管４等により構成されており、火災が発生すると、感知用ヘッド９が作動して一斉開放弁８が開放、消火ポンプが起動して泡水溶液が泡ヘッド１０より放出される設備である。
【００１３】
泡ヘッド１０は、後述する一斉開放弁８の二次側に泡消火用配管１６を介して接続される開放型のヘッドであり図示しない金網やデフレクタなどから構成され、泡水溶液を発泡させて泡として放出する。
【００１４】
感知用ヘッド９は、後述する一斉開放弁８に感知用配管１５を介して接続され、火災の熱により図示しない感熱部が作動し、感知用配管１５内の圧力水（泡水溶液）を放出する。
【００１５】
一斉開放弁８は、後述する配水管４からの圧力水を感知用配管１５内に流入させることができ、感知用配管１５内に所定以上の圧力が加わると閉鎖する。平常時は感知用ヘッド９により圧力水が感知用配管１５内に封入されているため、一斉開放弁８は閉鎖している。感知用ヘッド９が作動して感知用配管１５内の圧力が所定以下になると開放し、二次側に接続した泡消火用配管１６に泡水溶液を流通する。
【００１６】
流水検知装置７は、一斉開放弁８の一次側に設けられ、逆止弁構造になっており、その一次側から二次側に向かって流水が発生した際に、開放して流水信号を送信する。流水信号はベル等の音響装置１８を鳴動させ周囲に火災が発生したことを報知する。
【００１７】
泡原液槽５は、内部にゴムなどで成形された隔膜５１を備え、隔膜５１内に泡原液を貯蔵しており、水によって隔膜５１を外側から圧迫することにより泡原液を送出する。
【００１８】
混合器６は、水と泡原液を所定の混合比（例えば３％）に混合して、泡水溶液を生成する。泡原液槽５と混合器６は泡原液送出管１７で接続されている。
【００１９】
貯水槽２は、消火設備に用いるための水を貯蔵する。
【００２０】
消火ポンプ３は、貯水槽２の水を加圧送水する。
【００２１】
配水管４は、貯水槽２から消火ポンプ３、混合器６、流水検知装置７等を経由して一斉開放弁８までを接続する。なお、配水管４のうち混合器６の二次側は泡水溶液が充填されているため、火災発生時には、放出開始時から泡水溶液が放出される。また、配水管４は、消火ポンプ３の二次側で分岐され、その一端は泡原液槽５に接続されている。
【００２２】
圧力空気槽１１は、配水管４に接続され、大気圧の空気が満たされた状態から、泡消火設備１の監視圧力まで加圧されると、圧力空気槽１１内の空気が圧縮されて圧力空気槽１１内に水が侵入する。圧力空気槽１１には、圧力空気槽１１内の圧力を監視する圧力スイッチ１２が接続されており、圧力空気槽１１内の圧力が所定値以下になると圧力低下信号を送信する。
【００２３】
ポンプ制御盤１３は、圧力スイッチ１２から送信される圧力低下信号を受信して、消火ポンプ３の起動信号を送信する。また、消火ポンプを停止するポンプ停止ボタンを備え、ポンプ停止ボタンが押されると消火ポンプ３に停止信号を送信する。また、消火ポンプ３に起動信号を送信する時に後述する阻止弁１４にも開放信号を送信し、消火ポンプ３に停止信号を送信する時に、後述する阻止弁１４にも閉止信号を送信する。
【００２４】
阻止弁１４は、泡原液送出管１７に接続され、ポンプ制御盤１３からの信号により開閉するもので、常時閉となっている。
【００２５】
このような泡消火設備において、火災が発生した場合について説明する。
防護区画にて火災が発生すると、感知用ヘッド９が作動し、感知用配管１５内に加圧充水された泡水溶液を放出する。泡水溶液が放出され、感知用配管１５内の圧力が低下すると一斉開放弁８が開放する。
【００２６】
一斉開放弁８が開放すると、泡水溶液は泡消火用配管１６を介して泡ヘッド１０から放出され、配水管４内の圧力が低下する。配水管４内の圧力が圧力スイッチ１２の設定圧力まで低下すると、圧力スイッチ１２が圧力低下を検知して圧力低下信号をポンプ制御盤１３に送信する。
【００２７】
ポンプ制御盤１３は、圧力低下信号を受信すると消火ポンプ３に起動信号を送信するとともに、阻止弁１４に開放信号を送信する。起動信号を受信した消火ポンプ３は貯水槽２の水を配水管４に加圧送水する。また、開放信号を受信した阻止弁１４は開放して泡原液送出管１７を開通する。
【００２８】
消火ポンプ３により加圧送水された水のうち、一部は泡原液槽５内に流入し、隔膜５１の外側から隔膜５１を圧迫する。圧迫された隔膜５１は内側に貯蔵していた泡原液を泡原液送出管１７に送出する。
【００２９】
泡原液送出管１７に接続された阻止弁１４は開放しているので、泡原液は混合器６に流入し、配水管４を流れる水と所定の混合比で混合され、泡水溶液となって二次側に送出される。
【００３０】
泡水溶液は開放している一斉開放弁８が接続されている流水検知装置７を開放して、開放している一斉開放弁８に流入し、泡原液送出管１７を介して泡ヘッド１０から放出される。
【００３１】
次に、泡消火設備１の平常時について説明する。
平常時は、感知用ヘッド９が作動していないので、一斉開放弁８は閉止しており、泡消火設備１は起動しない。しかし、周囲温度の変化や配管内の空気の体積変化などにより、配水管４内の圧力が変化する場合がある。このとき、阻止弁１４がないと、圧力のバランスによって、混合器６から泡原液槽５に水や泡水溶液が流入したり、逆に泡原液槽５から混合器６に泡原液が流入したりといったことが発生する。
従来は、泡原液槽５から混合器６の方向にのみ流れるように逆止弁を泡原液送出管１７に設置することで混合器６から泡原液槽５への流入に対してのみ対応していた。
【００３２】
本発明の泡消火設備１の場合、消火ポンプ３が起動しない限り閉止している阻止弁１４が備えられているので、平常時に配水管４内の圧力が変動しても泡原液の流出や、泡原液槽５への水や泡水溶液の流入といった問題が発生することはない。
【００３３】
なお、現場によっては消火ポンプに加えて、吐出量が少なく、消火ポンプより起動設定圧力を高く設定し、配水管内の微少な圧力低下を修復する補助ポンプを設けることがあるが、この場合、補助ポンプの起動では阻止弁を開放せず、消火ポンプを起動する時のみ阻止弁を開放する構成とする。
【００３４】
また、火災感知器と配水管内の圧力低下の両方の信号によって、消火ポンプを起動する場合等は、火災感知器の発報信号や配水管内の圧力低下信号いずれかのみの場合は阻止弁を開放せず、消火ポンプを起動する条件の時のみ阻止弁を開放する構成とする。
【００３５】
以上のように実施の形態では、駐車場等に設置される泡消火設備において、ポンプ制御盤１３がポンプ起動信号を送信する時に、阻止弁１４に開放信号を送信する構成となっているが、圧力スイッチ１２の圧力低下信号をポンプ制御盤１３受信した場合は、必ずポンプを起動するので、圧力低下信号を阻止弁１４にも送信し、圧力低下信号で阻止弁１４を開放してもよい。
【００３６】
また、設備はこれに限定されるものではなく、泡ヘッド１０、感知ヘッド９および一斉開放弁８に変えて閉鎖型泡ヘッドを用いる設備に用いてもよい。
【００３７】
また、手動でポンプ起動押しボタン（ポンプ起動操作手段に相当）を起動操作することで消火ポンプを起動する泡消火栓設備等に用いてもよい。この場合、実施の形態と同様にポンプ制御盤がポンプ起動信号を送信する時に、阻止弁に開放信号を送信する構成としてもよいし、ポンプ起動押しボタンを押下した場合は、必ずポンプを起動するので、ポンプ起動押しボタンを押下した信号を阻止弁にも送信し、その信号で阻止弁を開放してもよい。
【符号の説明】
【００３８】
１  泡消火設備、２  貯水槽、３  消火ポンプ、４  配水管、５  泡原液槽、６  混合器、７  流水検知装置、８  一斉開放弁、９  感知ヘッド、１０  泡ヘッド、１１  圧力空気槽、１２  圧力スイッチ、１３  ポンプ制御盤、１４  阻止弁、１５  感知用配管、１６  泡消火用配管、１７  泡原液送出管、１８  音響装置、５１  隔膜。
【図１】
2016073693.tif 000003